(57)【要約】      （修正有）【課題】取付片と壁面との間にゴミが溜まるのを抑制しつつ、生産性を向上させることができるゴミ袋を提供する。【解決手段】ゴミ袋１は、第１シート部１０と、第１シート部１０と両側辺および底辺がつながり、上側が開口する袋体２を構成する第２シート部２０とを有する。第１シート部１０は、第２シート部２０と袋体２を構成するシート部本体１１と、シート部本体１１から第２シート部２０の上縁よりも上方に延びる取付片３とを有する。取付片３は、両側辺がそれぞれシート部本体１１の側辺に対して幅方向内側に位置することで、横幅がシート部本体１１の横幅よりも小さい幅狭部３１と、幅狭部３１を挟んでシート部本体１１とは反対に位置し、横幅が幅狭部３１の横幅よりも大きい幅広部３２と、幅広部３２の第２シート部２０とは反対の面に配置され、剥離シートで覆われた帯状の粘着部３３とを有する。粘着部３３は、幅広部３２の上下中央よりも上に配置されている。【選択図】図１
0003212489.tif 000002
【実用新案登録請求の範囲】
【請求項１】
第１シート部と、前記第１シート部と両側辺および底辺がつながり、上側が開口する袋体を構成する第２シート部とを有するゴミ袋であって、
前記第１シート部は、前記第２シート部と袋体を構成するシート部本体と、前記シート部本体から前記第２シート部の上縁よりも上方に延びる取付片とを有し、
前記取付片は、両側辺がそれぞれ前記シート部本体の側辺に対して幅方向内側に位置することで、横幅が前記シート部本体の横幅よりも小さい幅狭部と、前記幅狭部を挟んで前記シート部本体とは反対に位置し、横幅が前記幅狭部の横幅よりも大きい幅広部と、前記幅広部の前記第２シート部とは反対の面に配置され、剥離シートで覆われた帯状の粘着部とを有し、
前記粘着部の上縁は、前記取付片の上縁と同じ位置、または、前記取付片の上縁よりも下に位置し、
前記粘着部は、前記幅広部の上下中央よりも上に配置されていることを特徴とするゴミ袋。
【請求項２】
第１シート部と、前記第１シート部と両側辺および底辺がつながり、上側が開口する袋体を構成する第２シート部とを有するゴミ袋であって、
前記第１シート部は、前記第２シート部と袋体を構成するシート部本体と、前記シート部本体から前記第２シート部の上縁よりも上方に延びており、両側辺の少なくとも一部がそれぞれ前記シート部本体の側辺に対して幅方向内側に位置することで、少なくとも一部の横幅が前記シート部本体の横幅よりも小さい取付片とを有し、
前記取付片は、前記第２シート部とは反対の面に配置され、剥離シートで覆われた帯状の粘着部を有し、
前記粘着部の上縁は、前記取付片の上縁と同じ位置、または、前記取付片の上縁よりも下に位置し、
前記取付片の上縁から前記粘着部の上縁までの距離は、３ｍｍ以下であることを特徴とするゴミ袋。
【請求項３】
前記取付片の上縁から前記粘着部の上縁までの距離は、２ｍｍ以下であることを特徴とする請求項２に記載のゴミ袋。
【請求項４】
前記粘着部の上縁は、前記取付片の上縁と同じ位置に位置することを特徴とする請求項２に記載のゴミ袋。
【請求項５】
前記取付片は、両側辺がそれぞれ前記シート部本体の側辺に対して前記幅方向内側に位置することで、横幅が前記シート部本体の横幅よりも小さい幅狭部と、前記幅狭部を挟んで前記シート部本体とは反対に位置し、横幅が前記幅狭部の横幅よりも大きい幅広部とを有し、
前記粘着部は、前記幅広部に配置されていることを特徴とする請求項２から請求項４のいずれか１項に記載のゴミ袋。
【請求項６】
前記粘着部の下縁から前記幅広部の下縁までの距離は、前記取付片の上縁から前記粘着部の上縁までの距離よりも大きいことを特徴とする請求項１または請求項５に記載のゴミ袋。
【請求項７】
前記粘着部の下縁から前記幅広部の下縁までの距離は、２ｃｍ以上であることを特徴とする請求項６に記載のゴミ袋。
【考案の詳細な説明】
【技術分野】
【０００１】
本考案は、ゴミを回収するためのゴミ袋に関する。
【背景技術】
【０００２】
従来、ゴミ袋として、特許文献１には、袋体の開口縁の一部を袋体の開口方向に延長して貼着片を形成し、この貼着片に切込を開口縁に沿って設けると共に、袋体を壁面に貼着させるための貼着部を貼着片に設けたものが開示されている。
【０００３】
また、特許文献２には、取付手段としてのテープを袋体に形成された被取付片に沿って開口内周側より重ね合わせ、テープの被取付片の上端縁より上方へ延出した部位を壁面に密着させて取り付ける粉塵収納袋が開示されている。
【先行技術文献】
【特許文献】
【０００４】
【特許文献１】実開平２−１４９６０２号公報
【特許文献２】特許第５９０４５１３号公報
【考案の概要】
【考案が解決しようとする課題】
【０００５】
ところで、従来技術のようなゴミ袋は、壁面にドリルなどで穴をあける際に、壁面の穴をあける箇所の下に貼り付けて切削屑などのゴミを回収するのに用いられることがある。しかしながら、特許文献１のゴミ袋は、貼着片の貼着部よりも上の部分と壁面との間の隙間にゴミが入り込んで溜まるので、使用後にゴミ袋を壁面から取り外すと、溜まったゴミが床などに散乱してしまうという問題がある。
【０００６】
一方、特許文献２の粉塵収納袋は、テープが被取付片に開口内周側より重ね合わされ、テープ上部が被取付片の上端縁より上方へ延出しているので、被取付片と壁面との間の隙間にゴミが入り込んで溜まることはない。しかし、テープ上部の粘着面に使用時に剥がすための剥離紙を貼着したものを製造するには、生産性の観点から問題がある。
【０００７】
そこで、本考案は、取付片と壁面との間にゴミが溜まるのを抑制しつつ、生産性を向上させることができるゴミ袋を提供することを目的とする。
【課題を解決するための手段】
【０００８】
前記目的を達成するため、本考案のゴミ袋は、第１シート部と、前記第１シート部と両側辺および底辺がつながり、上側が開口する袋体を構成する第２シート部とを有するゴミ袋であって、前記第１シート部は、前記第２シート部と袋体を構成するシート部本体と、前記シート部本体から前記第２シート部の上縁よりも上方に延びる取付片とを有し、前記取付片は、両側辺がそれぞれ前記シート部本体の側辺に対して幅方向内側に位置することで、横幅が前記シート部本体の横幅よりも小さい幅狭部と、前記幅狭部を挟んで前記シート部本体とは反対に位置し、横幅が前記幅狭部の横幅よりも大きい幅広部と、前記幅広部の前記第２シート部とは反対の面に配置され、剥離シートで覆われた帯状の粘着部とを有し、前記粘着部の上縁は、前記取付片の上縁と同じ位置、または、前記取付片の上縁よりも下に位置し、前記粘着部は、前記幅広部の上下中央よりも上に配置されていることを特徴とする。
【０００９】
このような構成によれば、粘着部が取付片の幅広部の上下中央よりも上に配置されているので、取付片の粘着部よりも上に位置する部分を小さくすることができ、取付片と当該取付片が取り付けられた壁面との間にゴミが溜まるのを抑制することができる。また、剥離シートで覆われた粘着部が取付片の幅広部の第２シート部とは反対の面に配置されているので、テープの粘着面に剥離シートを設けつつ、テープを、その上部が取付片よりも上方に延出した状態で取付片に第２シート部と同じ側から貼り付ける場合と比較して、生産性を向上させることができる。
【００１０】
また、前記目的を達成するため、本考案のゴミ袋は、第１シート部と、前記第１シート部と両側辺および底辺がつながり、上側が開口する袋体を構成する第２シート部とを有するゴミ袋であって、前記第１シート部は、前記第２シート部と袋体を構成するシート部本体と、前記シート部本体から前記第２シート部の上縁よりも上方に延びており、両側辺の少なくとも一部がそれぞれ前記シート部本体の側辺に対して幅方向内側に位置することで、少なくとも一部の横幅が前記シート部本体の横幅よりも小さい取付片とを有し、前記取付片は、前記第２シート部とは反対の面に配置され、剥離シートで覆われた帯状の粘着部を有し、前記粘着部の上縁は、前記取付片の上縁と同じ位置、または、前記取付片の上縁よりも下に位置し、前記取付片の上縁から前記粘着部の上縁までの距離は、３ｍｍ以下であることを特徴とする。
【００１１】
このような構成によれば、取付片の上縁から粘着部の上縁までの距離が３ｍｍ以下と小さいので、取付片の粘着部よりも上に位置する部分を小さくすることができ、取付片と壁面との間にゴミが溜まるのを抑制することができる。また、剥離シートで覆われた粘着部が取付片の第２シート部とは反対の面に配置されているので、生産性を向上させることができる。
【００１２】
前記したゴミ袋において、前記取付片の上縁から前記粘着部の上縁までの距離は、２ｍｍ以下である構成とすることができる。
【００１３】
これによれば、取付片の粘着部よりも上に位置する部分をより小さくすることができるので、取付片と壁面との間にゴミが溜まるのをより抑制することができる。
【００１４】
前記したゴミ袋において、前記粘着部の上縁は、前記取付片の上縁と同じ位置に位置する構成とすることもできる。
【００１５】
これによれば、取付片の粘着部よりも上に位置する部分をなくすことができるので、取付片と壁面との間にゴミが溜まるのを一層抑制することができる。
【００１６】
前記したゴミ袋において、前記取付片は、両側辺がそれぞれ前記シート部本体の側辺に対して前記幅方向内側に位置することで、横幅が前記シート部本体の横幅よりも小さい幅狭部と、前記幅狭部を挟んで前記シート部本体とは反対に位置し、横幅が前記幅狭部の横幅よりも大きい幅広部とを有し、前記粘着部は、前記幅広部に配置されている構成とすることができる。
【００１７】
これによれば、粘着部が幅狭部に配置される場合と比較して、粘着部の横幅を大きくすることができる。
【００１８】
前記したゴミ袋において、前記粘着部の下縁から前記幅広部の下縁までの距離は、前記取付片の上縁から前記粘着部の上縁までの距離よりも大きい構成とすることができる。
例えば、前記したゴミ袋において、前記粘着部の下縁から前記幅広部の下縁までの距離は、２ｃｍ以上である構成とすることができる。
【００１９】
これによれば、ゴミ袋を、例えば、机などの天板の上面に取り付ける際に、幅広部と天板の角部とが重なるように取り付けやすくなる。幅狭部と天板の角部とが重なると、ゴミの重さなどによって幅狭部に天板の角部から局所的に負荷がかかり、場合によっては取付片が幅狭部付近を起点として裂ける可能性があるが、幅広部と天板の角部とが重なるようにゴミ袋を取り付けることで、そのような負荷がかかりにくくなるので、取付片が裂けるのを抑制することができる。
【考案の効果】
【００２０】
本考案のゴミ袋によれば、取付片と壁面との間にゴミが溜まるのを抑制しつつ、生産性を向上させることができる。
【図面の簡単な説明】
【００２１】
【図１】実施形態に係るゴミ袋を示す斜視図である。
【図２】ゴミ袋の正面図である。
【図３】ゴミ袋の取付片付近を拡大して示す背面図である。
【図４】ゴミ袋の他の使用例を示す斜視図である。
【図５】変形例に係るゴミ袋の正面図である。
【考案を実施するための形態】
【００２２】
以下、本考案の一実施形態について、適宜図面を参照しながら詳細に説明する。
図１に示すように、本実施形態に係るゴミ袋１は、例えば、壁面５０にドリル８０で穴５１をあける際に、壁面５０の穴５１をあける箇所の下に貼り付けられ、穿孔時に生じる切削屑などのゴミ９０を回収するものである。
【００２３】
ゴミ袋１は、ゴミ９０を収容するための袋体２と、ゴミ袋１を壁面５０などに取り付けるための取付片３とを備えている。より詳しくは、図２に示すように、ゴミ袋１は、第１シート部１０と、第１シート部１０と重なり合うように配置される第２シート部２０とを有している。また、第１シート部１０は、シート部本体１１と、前記した取付片３とを有している。
【００２４】
シート部本体１１および第２シート部２０は、上下に長い略矩形状である。第２シート部２０は、第１シート部１０のシート部本体１１と左右の両側辺同士がつながっている。具体的には、第２シート部２０は、左の側片２１Ａがシート部本体１１の左の側辺１１Ａとつながり、かつ、右の側辺２１Ｂがシート部本体１１の右の側辺１１Ｂとつながっている。また、第２シート部２０は、底辺２１Ｃがシート部本体１１の底辺１１Ｃとつながっている。一方、第２シート部２０の上辺２１Ｄは、シート部本体１１の上辺１１Ｄとはつながっていない。つまり、上辺１１Ｄと上辺２１Ｄは、互いに分離している。これにより、第２シート部２０とシート部本体１１は、上側が開口する袋体２を構成している。
【００２５】
取付片３は、シート部本体１１の上縁１１Ｕから上方に延びる部分である。取付片３は、第２シート部２０の上縁２０Ｕよりも上方に延びている。取付片３は、左右両側辺の一部（３１Ａ，３１Ｂ）が、それぞれ、シート部本体１１の側辺１１Ａ，１１Ｂに対してゴミ袋１の幅方向（左右方向）内側に位置することで、一部の横幅３１Ｗがシート部本体１１の横幅１１Ｗよりも小さくなっている。詳しくは、取付片３は、幅狭部３１と、幅広部３２とを有している。
【００２６】
幅狭部３１は、取付片３のシート部本体１１とつながる部分である。本実施形態では、幅狭部３１は、左右の側辺３１Ａ，３１Ｂが、それぞれ、上下中央にいくにつれて、ゴミ袋１の左右中央に向けて円弧状に凹となる形状を有している。幅狭部３１は、その両側辺３１Ａ，３１Ｂが、それぞれ、シート部本体１１の側辺１１Ａ，１１Ｂに対して、ゴミ袋１の左右中央に近づくように左右内側に位置することで、横幅３１Ｗがシート部本体１１の横幅１１Ｗよりも小さくなっている。別の言い方をすれば、取付片３のシート部本体１１とつながる部分は、シート部本体１１の両側辺１１Ａ，１１Ｂよりもゴミ袋１の左右中央に向けて所定長さだけ半長円状に切り欠かれていることで、シート部本体１１に対して横幅３１Ｗが小さくなった幅狭部３１となっている。つまり、幅狭部３１は、取付片３のうち、一対の切欠３４の間の部分である。
【００２７】
幅広部３２は、取付片３のうち、幅狭部３１よりも上側の部分であり、幅狭部３１を挟んでシート部本体１１とは反対に位置している。本実施形態では、幅広部３２は、左右に長い略矩形状である。幅広部３２は、その横幅３２Ｗが、幅狭部３１の横幅３１Ｗよりも大きくなっている。また、本実施形態では、幅広部３２の横幅３２Ｗは、シート部本体１１の横幅１１Ｗと略一致している。
【００２８】
このような袋体２および取付片３を備えるゴミ袋１は、例えば、樹脂や紙、布などから形成することができる。ゴミ袋１の材質は、焼却しても有害なガスが生じないものが望ましい。樹脂としては、例えば、ポリエチレンやポリプロピレンなどを用いることができる。また、ゴミ袋１は、内部が透けて見えるように透明（いわゆる半透明も含む）であってもよい。また、各シート部１０，２０は、単層構造であってもよいし、多層構造であってもよい。なお、ゴミ袋１の材質は、前記した樹脂、紙、布などに限定されないことはいうまでもない。
【００２９】
ゴミ袋１は、例えば、第１シート部１０と第２シート部２０の両側辺同士がつながったような筒状のシート材を適宜な長さに切断し、第１シート部１０と第２シート部２０の底辺１１Ｃ，２１Ｃに相当する部分同士を溶着するなどしてつなげて袋状にするとともに、袋状のシート材の上端部において重なり合ったシート材の一方および幅狭部３１の両側に位置する部分を切り取ることで形成することができる。なお、ゴミ袋１は、底部分が平らに広がるように立体成形されていてもよい。
【００３０】
図３に示すように、取付片３は、ゴミ袋１を壁面５０などに貼り付けるための粘着部３３をさらに有している。粘着部３３は、左右に長い帯状であり、幅広部３２の第２シート部２０とは反対の面に配置されている。詳しくは、粘着部３３は、左右に連続して延びており、横幅３３Ｗが、幅広部３２の横幅３２Ｗと略一致している。つまり、粘着部３３の横幅３３Ｗは、幅狭部３１の横幅３１Ｗよりも大きい。また、粘着部３３の上縁３３Ｕは、取付片３の上縁３Ｕよりも下に位置している。また、粘着部３３は、一点鎖線で示す幅広部３２の上下中央の位置よりも上に配置されている。
【００３１】
取付片３の上縁３Ｕから粘着部３３の上縁３３Ｕまでの距離Ｄ１は、３ｍｍ以下であることが望ましく、２ｍｍ以下であることがより望ましく、１ｍｍ以下であることがさらに望ましく、略０ｍｍであることが最も望ましい。つまり、粘着部３３は、その上縁３３Ｕが、取付片３の上縁３Ｕに沿って取付片３の上縁３Ｕと略重なるように配置されていることが望ましい。
【００３２】
また、粘着部３３の下縁３３Ｌから幅広部３２の下縁３２Ｌまでの距離Ｄ２は、距離Ｄ１よりも大きくなっている。具体的には、距離Ｄ２は、例えば、２ｃｍ以上であることが望ましく、３ｃｍ以上であることがより望ましい。
【００３３】
粘着部３３は、剥離シート３５で覆われており、使用時に剥離シート３５を剥がして露出させる。
【００３４】
このような粘着部３３は、例えば、一方の粘着面が剥離シート３５で覆われた粘着テープの他方の粘着面を、取付片３の第２シート部２０とは反対の面に貼り付けることで設けることができる。また、例えば、取付片３の第２シート部２０とは反対の面に粘着剤を塗布して粘着部３３を形成した後に、粘着部３３を剥離シート３５で覆ってもよい。なお、粘着部３３は、壁面５０などに対して繰り返し着脱可能なものであってもよい。
【００３５】
次に、本実施形態に係るゴミ袋１の作用効果について説明する。
ゴミ袋１を使用する際には、剥離シート３５を剥がして粘着部３３を露出させた上で、図１に示すように、取付片３を粘着部３３によって壁面５０の穴５１をあける箇所の下に取り付ける。
【００３６】
ゴミ袋１は、粘着部３３によって壁面５０に貼り付けられた幅広部３２と、第１シート部１０のシート部本体１１との間に幅狭部３１があることによって、袋体２の左右両端部が壁面５０に拘束されず、壁面５０から離れることができる。そして、第２シート部２０の上辺２１Ｄが、ゴミ袋１の自重などによって、シート部本体１１の上辺１１Ｄから離れる方向へ広がるように変形することで、壁面５０に取り付けられたゴミ袋１は、袋体２の上側が自然と開いた状態となる。
【００３７】
この状態で、ドリル８０を用いて壁面５０に穴５１をあけると、切削屑などのゴミ９０は、床に散乱することなく、ゴミ袋１内に落ちて回収されることとなる。なお、粘着部３３として、壁面５０などに対して繰り返し着脱可能なものを採用した場合には、ゴミ袋１は、袋体２のゴミ９０がある程度溜まるまで繰り返し使用することが可能となる。
【００３８】
ゴミ袋１は、粘着部３３が幅広部３２の上下中央よりも上に配置されているので、さらに言えば、取付片３の上縁３Ｕから粘着部３３の上縁３３Ｕまでの距離Ｄ１が３ｍｍ以下であるので、取付片３の粘着部３３よりも上に位置する部分を小さくすることができる。これにより、取付片３と当該取付片３が取り付けられた壁面５０との間の隙間にゴミ９０が入り込んで溜まるのを抑制することができる。
【００３９】
特に、取付片３の上縁３Ｕから粘着部３３の上縁３３Ｕまでの距離Ｄ１を２ｍｍ以下と小さくすることで、取付片３の粘着部３３よりも上に位置する部分をより小さくすることができるので、取付片３と壁面５０との間にゴミ９０が溜まるのをより抑制することができる。
【００４０】
また、剥離シート３５で覆われた粘着部３３が幅広部３２の第２シート部２０とは反対の面に配置されているので、粘着テープの粘着面に剥離シートを設けつつ、粘着テープを、その上部が取付片よりも上方に延出した状態で取付片に第２シート部と同じ側から貼り付ける場合と比較して、ゴミ袋１の生産性を向上させることができる。
【００４１】
また、粘着部３３が幅広部３２に配置されているので、粘着部が幅狭部３１に配置される場合と比較して、粘着部３３の横幅３３Ｗを大きくすることができる。これにより、例えば、粘着部３３の上下の幅および単位面積当たりの粘着力が変わらなければ、粘着部３３の横幅３３Ｗが大きい分、粘着部３３の面積が大きくなるので、粘着部３３の粘着力を高めることができる。
【００４２】
また、例えば、粘着部３３の上下の幅が変わらなければ、粘着部３３として単位面積当たりの粘着力が弱いものを採用しても、粘着部３３の横幅３３Ｗが大きい分、粘着部３３の面積が大きくなるので、同等の粘着力を確保することができる。
【００４３】
また、例えば、粘着部３３の面積および単位面積当たりの粘着力が変わらなければ、粘着部３３の横幅３３Ｗが大きい分、粘着部３３の上下の幅を小さくすることができる。これにより、例えば、幅広部３２の上下の幅を小さくすることが可能となるので、ゴミ袋１のコンパクト化や、同じ量の材料からより多くのゴミ袋１を製造することが可能となる。
【００４４】
以上に本考案の一実施形態について説明したが、本考案は前記実施形態に限定されるものではない。具体的な構成などについては、下記のように考案の趣旨を逸脱しない範囲で適宜変更が可能である。
【００４５】
例えば、前記実施形態では、ゴミ袋１の用途として、壁面５０に貼り付けて穿孔時に生じる切削屑などのゴミ９０を回収するという用途を例示したが、ゴミ袋１の用途はこれに限定されない。つまり、ゴミ袋１は、ゴミ回収用の袋として様々な使い方をすることができる。例えば、図４に示すように、ゴミ袋１は、取付片３を粘着部３３によって机６０などの天板６１の上面６１Ａに取り付けて、机６０の上や周辺での作業で生じたゴミを回収するという使い方をしてもよい。
【００４６】
この場合、ゴミ袋１は、粘着部３３の下縁３３Ｌから幅広部３２の下縁３２Ｌまでの距離Ｄ２が、取付片３の上縁３Ｕから粘着部３３の上縁３３Ｕまでの距離Ｄ１よりも大きいので、当該ゴミ袋１を、天板６１の上面６１Ａに取り付ける際に、幅広部３２と天板６１の角部６１Ｂとが重なるように取り付けやすくなる。ゴミ袋１を机６０に取り付けた際に幅狭部３１と角部６１Ｂとが重なると、収容されたゴミの重さなどによって幅狭部３１に角部６１Ｂから局所的に負荷がかかり、場合によっては取付片３が幅狭部３１付近を起点として裂ける可能性があるが、幅広部３２と角部６１Ｂとが重なるようにゴミ袋１を取り付けることで、そのような負荷がかかりにくくなるので、取付片３が裂けるのを効果的に抑制することができる。
【００４７】
また、取付片３が幅狭部３１付近で裂けないように、例えば、幅狭部３１の左右両端部付近のシートの厚みを厚くしてゴミ袋１自体の強度を上げたり、幅狭部３１の左右両端部付近を補強用のテープなどで補強したりしてもよい。
【００４８】
また、前記実施形態では、幅広部３２の横幅３２Ｗが、シート部本体１１の横幅１１Ｗと略一致していたが、これに限定されない。例えば、幅広部の横幅は、シート部本体の横幅より大きくてもよい。また、幅広部の横幅は、幅狭部の横幅よりは大きいが、シート部本体の横幅より小さくてもよい。
【００４９】
また、前記実施形態では、取付片３が、幅狭部３１と幅広部３２を有して構成されていたが、これに限定されない。例えば、図５に示すように、取付片３は、両側辺３Ａ，３Ｂの全体が、それぞれ、シート部本体１１の側辺１１Ａ，１１Ｂに対して左右内側に位置することで、全体の横幅３Ｗがシート部本体１１の横幅１１Ｗよりも小さい構成であってもよい。つまり、取付片３は、その全体が、シート部本体１１の横幅１１Ｗよりも小さい幅狭部であり、当該幅狭部よりも横幅が大きい幅広部を備えない構成であってもよい。
【００５０】
また、前記実施形態（図３参照）や図５に示した変形例では、粘着部３３の上縁３３Ｕが取付片３の上縁３Ｕよりも下に位置していたが、これに限定されない。例えば、図３を参考にして説明すると、粘着部３３の上縁は、取付片３の上縁３Ｕと同じ位置に位置していてもよい。つまり、取付片３の上縁３Ｕから粘着部３３の上縁までの距離は、０ｍｍであってもよい。これによれば、取付片３の粘着部３３よりも上に位置する部分をなくすことができるので、取付片３と壁面との間にゴミが溜まるのを一層抑制することができる。このようなゴミ袋１は、例えば、取付片３に粘着部３３となる粘着テープを貼り付けた後に、上縁同士が揃うように、取付片３と粘着部３３の上端を切り取ることで形成することができる。
【００５１】
また、前記実施形態や図５に示した変形例では、粘着部３３の横幅が、幅広部３２または取付片３の横幅と略一致していたが、これに限定されない。例えば、粘着部の横幅は、幅広部または取付片の横幅より若干小さくてもよい。つまり、粘着部は、その側辺が、幅広部または取付片の側辺から多少離れた状態で配置されていてもよい。
【００５２】
また、本考案は、前記した実施形態および変形例で説明した各要素を、任意に組み合わせて実施してもよい。
【符号の説明】
【００５３】
１      ゴミ袋
２      袋体
３      取付片
３Ｕ    上縁
１０    第１シート部
１１    シート部本体
２０    第２シート部
３１    幅狭部
３２    幅広部
３３    粘着部
３３Ｕ  上縁
３５    剥離シート
【図１】
0003212489.tif 000003
【図２】
0003212489.tif 000004
【図３】
0003212489.tif 000005
【図４】
0003212489.tif 000006
【図５】
0003212489.tif 000007